(57)【要約】      （修正有）【課題】電気錠のキーロックシステムに於ける室外機の取付構造に係り、室外機を扉に取り付けるに当たり、強度的，美観的に優れ、且つ例えば賃貸住宅のように補強対策上、扉に穴を空けることのできない場合に対応可能な室外機の取付構造を提供する。【解決手段】電気錠のキーロックシステムに於ける室外機２３の取付構造であって、扉３の室外側に装着したシリンダー７と扉３との間に一枚の取付板２７を介装し、該取付板２７に室外機２３を固定することを特徴とする。【選択図】図１
0003151390.tif 000002
【実用新案登録請求の範囲】
【請求項１】
電気錠のキーロックシステムに於ける室外機の取付構造であって、
扉の室外側に装着したシリンダーと該扉との間に一枚の取付板を介装し、該取付板に室外機を固定することを特徴とする室外機の取付構造。
【考案の詳細な説明】
【技術分野】
【０００１】
本考案は、カードキーや暗証番号の入力によって錠前を電気的に解錠する電気錠のキーロックシステムに係り、詳しくはこの種のキーロックシステムに用いる室外機の取付構造に関する。
【背景技術】
【０００２】
非特許文献１に開示されるように、近年、集合住宅や一般住宅の玄関には、カードキーや暗証番号の入力によって錠前を電気的に解錠する電気錠のキーロックシステムが普及し、広く使用されている。
【０００３】
一般に、この種のキーロックシステムでは、扉の外側に装着した室外機（フロントボディ）のカード認識部分にカードキーをかざしたり、室外機に設けたテンキーボード上のテンキーを操作して暗証番号の入力が行われている。
【０００４】
ところで、例えば図３(a)，(b)に示すようにレバーハンドル錠１が用いられた住宅の扉３には、扉３の室外側にレバーハンドル５とシリンダー７が装着され、扉３の室内側にレバーハンドル９とサムターン１１が装着されているが、斯かるレバーハンドル錠１に代えて、図４(a)，(b)の如く前記キーロックシステム１３の室外機１５と室内機（メインボディ）１７を扉３に取り付ける場合、シリンダー７とサムターン１１を取り外し、これらを取り外した後の扉の取付孔から、扉内部の錠ケース（図示せず）の取付孔に、室外機１５の裏板（室外機本体を扉に取り付ける板材）に装着したアタッチメント部品と、室内機１７の裏板（室内機本体を扉に取り付ける板材）に装着したアタッチメント部品を夫々挿着して、室外機１５と室内機１７を扉３に取り付けていた。
【先行技術文献】
【非特許文献】
【０００５】
【非特許文献１】「キーレス錠」  http://www.miwa-lock.co.jp/product/11_cardlock.htm  検索日 平成２１年２月１６日
【考案の概要】
【考案が解決しようとする課題】
【０００６】
しかし乍ら、前記アタッチメント部品を用いた室外機１５と室内機１７の取付構造は、夫々、アタッチメント部品による一点支持であり、特に室外機１５は室外に配置されることもあって、防犯上、強度的により優れた取付構造が望まれていた。
【０００７】
また、室外機１５と扉３との間に隙間が生じてしまうこともあり、美観上の対策も望まれている。
【０００８】
更に、図４(a)の如くシリンダー７に代えて室外側１５を取り付けた構造上、シリンダー７を外しているため、例えば室外機１５が故障した場合には外から扉３を開けることができない不具合があった。
【０００９】
このため、図４(a)の如き室外機１５の取付構造に代え、シリンダー７を残した状態で室外機１５を取り付けたい需要があるが、前記アタッチメント部品を用いた取付構造では、シリンダー７を残しての取り付けができないのが実情であった。
【００１０】
本考案は斯かる実情に鑑み案出されたもので、室外機を扉に取り付けるに当たり、強度的，美観的に優れ、且つ例えば賃貸住宅のように補強対策上、扉に穴を空けることのできない場合に対応可能な室外機の取付構造を提供することにある。
【課題を解決するための手段】
【００１１】
斯かる目的を達成するため、請求項１に係る考案は、電気錠のキーロックシステムに於ける室外機の取付構造であって、扉の室外側に装着したシリンダーと該扉との間に一枚の取付板を介装し、該取付板に室外機を固定することを特徴とする。
【考案の効果】
【００１２】
請求項１に係る考案によれば、扉に孔加工することなく、シリンダーを残したまま室外機を取り付けることができるため、賃貸住宅でも電気錠のキーロックシステムを利用できると共に、室外機が取付板に固定されているため、室外機の取付強度も優れた利点を有する。
【００１３】
また、シリンダーを残したまま室外機を扉に取り付けることができるため、室外機が故障した場合や緊急時に外から扉を開けることが可能である。
【図面の簡単な説明】
【００１４】
【図１】請求項１の一実施形態に係る室外機の取付構造の分解斜視図である。
【図２】室外機が取り付く扉の斜視図である。
【図３】レバーハンドル錠が用いられた扉の室外側と室内側の正面図である。
【図４】従来の取付構造を用いた室外機と室内機が取り付く扉の室外側と室内側の正面図である。
【考案を実施するための形態】
【００１５】
以下、本考案の実施形態を図面に基づいて詳細に説明する。尚、図３及び図４に示す従来例と同一のものは同一符号を以って表示する。
【００１６】
図１及び図２は電気錠のキーロックシステムに於ける請求項１の一実施形態に係る室外機の取付構造を示し、図中、２１は室外機本体２３とその裏面側に取り付く裏板（室外機本体２３を扉３に取り付ける板材）２５とからなる室外機（フロントボディ）で、裏板２５の四隅にネジ挿通孔（図示せず）が設けられ、室外機本体２３の表面にテンキーボード（図示せず）が設けられている。
【００１７】
また、２７は一例として鉄板で形成された一枚の薄肉な取付板で、シリンダー７と扉３との間に介装できる肉厚で形成され、扉３の室外側の外側面に両面テープで強固に貼着されるようになっている。
【００１８】
そして、取付板２７の下部には、シリンダー７を取り付ける扉３の取付孔２９と中心軸を同じくして、該取付板２９よりも小径でシリンダー７が扉３に取り付け可能なシリンダー挿通孔３１が設けられており、前記取付孔２９は、扉３の内部に装着された錠ケース３３の取付孔３５に対応している。
【００１９】
一方、取付板２７の上方には、前記裏板２５のネジ挿通孔に対応して４つのネジ挿通孔３７が設けられており、扉３への取付板２７の取付けに当たり、取付板２７の裏面側から平ネジ（図示せず）で取付板２７に裏板２５がネジ止めされるようになっている。
【００２０】
本実施形態はこのように構成されているから、扉３への取付板２７の取付けに当たり、取付板２７の裏面側から平ネジで取付板２７に裏板２５をネジ止めして、該裏板２５に室外機本体２３を取り付けた後、シリンダー挿通孔３１にシリンダー７を挿通させて、該シリンダー７を錠ケース３３の取付孔３５に挿着し乍ら、図２に示すように取付板２７を扉３の外側面に両面テープで貼着すればよい。
【００２１】
このように本実施形態は、扉３に孔加工することなくシリンダー７を残したまま室外機２１を取り付けることができるため、賃貸住宅でも電気錠のキーロックシステムを利用できると共に、室外機２１の裏板２５の四隅が取付板２７にネジ止めされているため、室外機２１の取付強度も優れた利点を有する。
【００２２】
また、本実施形態は、シリンダー７を残したまま室外機２１を扉３に取り付けることができるため、室外機２１が故障した場合や緊急時に外から扉３を開けることが可能である。
【００２３】
尚、前記実施形態では、取付板２７を両面テープで扉３に貼着したが、取付板の取付方法は両面テープに限定されるものではない。
【符号の説明】
【００２４】
１  レバーハンドル錠
３  扉
７  シリンダー
１３  キーロックシステム
２１  室外機（フロントボディ）
２３  室外機本体
２５  裏板
２７  取付板
２９，３５  取付孔
３１  シリンダー挿通孔
３３  錠ケース
３７  ネジ挿通孔
【図１】
0003151390.tif 000003
【図２】
0003151390.tif 000004
【図３】
0003151390.tif 000005
【図４】
0003151390.tif 000006